(57)【要約】      （修正有）【課題】電波静電気制御吸収帯により台風雲の生起・移動・消滅の制御を運用するエコロジー処理コンピュータ台風対策航空機を提供する。【解決手段】ＧＰＳ航法台風ガイド５、により情報化された雨や雷などの台風雲６、に電波静電気制御吸収帯４、を打ち込む電波静電気制御吸収帯ブラストガン３、を有する電波静電気制御吸収帯ブラストシステム２、を塔載の中型輸送機１、で電波時計９、と１００万分の１秒高速度カメラ８、で地上台風被害市街地７、の上空を情報化運用する。【選択図】図１
0003158195.tif 000002
【実用新案登録請求の範囲】
【請求項１】
電波静電気制御吸収帯ショットの電波静電気制御吸収帯ブラストガンを有する静電気制御吸収帯ブラストシステム塔載中型輸送機エコロジー処理コンピュータ台風。
【請求項２】
ＧＰＳ航法台風ガイドを具備する事を特徴とする請求項１記載のエコロジー処理コンピュータ台風。
【請求項３】
１００万分の１秒高速度カメラを具備する事を特徴とする請求項１記載のエコロジー処理コンピュータ台風。
【請求項４】
電波時計を具備する事を特徴とする請求項１記載のエコロジー処理コンピュータ台風。
【考案の詳細な説明】
【技術分野】
【０００１】
本考案は、従来のエコロジー処理コンピュータ台風としての静電気制御による雨や雷などの台風雲制御エコロジー処理コンピュータ台風に関する。
【背景技術】
【０００２】
人工衛星ひまわりによる雨や雷などの台風雲情報化エコロジー処理コンピュータ台風です。
【考案の開示】
【考案が解決しようとする課題】
【０００３】
しかしながら、人工衛星ひまわりによる台風雲情報化エコロジー処理コンピュータ台風では、情報化までで、台風雲を制御できないという欠点がある。
【０００４】
本考案は、上記実情に鑑みてなされたものであり、電波静電気制御吸収帯により、台風雲の生起・移動・消滅の制御をする事を目的としている。
【課題を解決するための手段】
【０００５】
上記目的を達成するため考案は、電波静電気制御吸収帯を情報化された台風雲制御に運用する手段を有することであり、次の構成を含むことを特徴としている。
ＧＰＳ航法台風ガイド（宇宙の人工衛星３個の電波を利用して、台風雲の位置を知り）による雨や雷などの台風雲を生起・移動・消滅制御する電波静電気制御吸収帯（アルミナ、セルロイド、光電帯等）を単独又は他の化学物質と共に電波静電気制御吸収帯ブラストシステムの有する電波静電気制御吸収帯ブラストガンにより台風雲に打ち込む中型輸送機の運用によるものである。
【考案の効果】
【０００６】
本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】
本考案の実施の形態の一例について、図面を参照しながら説明する。
エコロジー処理コンピュータ台風は図１に示すように、ＧＰＳ航法台風ガイド５、により情報化された雨や雷などの台風雲６、に、電波静電気制御吸収帯４、を打ち込む電波静電気制御吸収帯ブラストガン３、を有する電波静電気制御吸収帯ブラストシステム２、を塔載の中型輸送機１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風を示す図である。
【符号の説明】
【０００９】
１  中型輸送機（電波静電気制御吸収帯ブラストシステムとＧＰＳ航法台風ガイドシステム塔載）
２  電波静電気制御吸収帯プラストシステム（従来のサンドブラスト又は液体ホーニングシステムでもよい。）
３  電波静電気制御吸収帯ブラストガン（従来のサンドブラストガン又は液体ホーニングシステムガンでもよい。）
４  電波静電気制御吸収帯
５  ＧＰＳ航法台風ガイド
６  雨や雷などの台風雲
７  地上台風被害市街地
８  １００万分の１秒高速度カメラ
９  電波時計
【図１】
0003158195.tif 000003
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
電波吸収帯打出しのサンドブラストガンを有するサンドブラストシステムを塔載したエコロジー処理コンピュータ台風機。
【請求項２】
ＧＰＳ航法システムを具備する事を特徴とする請求項１記載のエコロジー処理コンピュータ台風機。
【請求項３】
サンドブラストガンのねらいをを決める情報化装置１００万分の１秒高速度カメラを具備する事を特徴とする請求項１記載のエコロジー処理コンピュータ台風機。
【請求項４】
ＧＰＳ航法システムとの同時性を創る電波時計を具備する事を特徴とする請求項１記載のエコロジー処理コンピュータ台風機。
【手続補正２】
【補正対象書類名】明細書
【補正対象項目名】全文
【補正方法】変更
【補正の内容】
【考案の詳細な説明】
【技術分野】
【０００１】
本考案は、従来のエコロジー処理コンピュータ台風機としての静電気制御による雨や雷などの台風雲制御エコロジー処理コンピュータ台風機に関する。
【背景技術】
【０００２】
人工衛星ひまわりによる雨や雷などの台風雲情報化エコロジー処理コンピュータ台風機です。
【考案の開示】
【考案が解決しようとする課題】
【０００３】
しかしながら、人工衛星ひまわりによる台風雲情報化エコロジー処理コンピュータ台風機では、情報化までで、台風雲を制御できないという欠点がある。
【０００４】
本考案は、上記実情に鑑みてなされたものであり、電波吸収帯により、台風雲の生起・移動・消滅の制御をする事を目的としている。
【課題を解決するための手段】
【０００５】
上記目的を達成するため考案は、電波吸収帯を情報化された台風雲制御に運用する手段を有することであり、次の構成を含むことを特徴としている。
ＧＰＳ航法システム（宇宙の人工衛星３個の電波を利用して、台風雲の位置を知り）による雨や雷などの台風雲を生起・移動・消滅制御する電波吸収帯（アルミナ、セルロイド、光導電帯等）を単独又は他の化学物質と共にサンドブラストシステムの有するサンドブラストガンにより台風雲に打ち込む中型輸送機の運用によるものである。
【考案の効果】
【０００６】
本考案により、地上台風被害市街地上空の雨や雷などの台風雲の生起・移動・消滅を電波時計により同時に１００万分の１秒高速度カメラによる情報化で制御する事ができる。
【考案を実施するための最良の形態】
【０００７】
本考案の実施の形態の一例について、図面を参照しながら説明する。
エコロジー処理コンピュータ台風機は図１に示すように、ＧＰＳ航法システム５、により情報化された雨や雷などの台風雲６、に、電波吸収帯４、を打ち込むサンドブラストガン３、を有するサンドブラストシステム２、を塔載の中型輸送機１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風機を示す図である。
【符号の説明】
【０００９】
１          中型輸送機（サンドブラストシステムとＧＰＳ航法システム塔載）
２          サンドブラストシステム（従来のサンドブラスト又は液体ホーニングシステム）
３          サンドブラストガン（従来のサンドブラストガン又は液体ホーニングシステムガン）
４          電波吸収帯
５          ＧＰＳ航法システム
６          雨や雷などの台風雲
７          地上台風被害市街地
８          １００万分の１秒高速度カメラ
９          電波時計
【手続補正書】
【提出日】平成21年1月23日(2009.1.23)
【手続補正１】
【補正対象書類名】明細書
【補正対象項目名】全文
【補正方法】変更
【補正の内容】
【考案の詳細な説明】
【技術分野】
【０００１】
本考案は、従来のエコロジー処理コンピュータ台風対策航空機としての静電気制御による雨や雷などの台風雲制御エコロジー処理コンピュータ対策航空機に関する。
【背景技術】
【０００２】
人工衛星ひまわりによる雨や雷などの台風雲情報化エコロジー処理コンピュータ台風対策航空機です。
【考案の開示】
【考案が解決しようとする課題】
【０００３】
しかしながら、人工衛星ひまわりによる台風雲情報化エコロジー処理コンピュータ台風対策航空機では、情報化までで、台風雲を制御できないという欠点がある。
【０００４】
本考案は、上記実情に鑑みてなされたものであり、イオン水と電波静電気制御吸収帯により、台風雲の生起・移動・消滅の制御をする事を目的としている。
【課題を解決するための手段】
【０００５】
上記目的を達成するため考案は、イオン水と電波静電気制御吸収帯をその存在が情報化された台風雲制御に運用する手段を有することであり、次の構成を含むことを特徴としている。
ＧＰＳ航法システム（宇宙の人工衛星３個の電波を利用して、台風雲の位置を知り）による雨や雷などの台風雲を生起・移動・消滅制御する、イオン水製造装置により作られたイオン水を噴出する水鉄砲と電波吸収帯（アルミナ、セルロイド、光電帯等）を単独又は他の化学物質と共にサンドブラストシステムの有するサンドブラストガンにより台風雲に打ち込む中型輸送機の運用によるものである。
【０００６】
本考案により、地上台風被害市街地上空の雨や雷などの台風雲の生起・移動・消滅を電波時計による同時に１００万分の１秒高速度カメラによる情報化で制御する事ができる。
【図面の簡単な説明】
【０００７】
【図１】本考案のエコロジー処理コンピュータ台風対策航空機を示す図である。エコロジー処理コンピュータ台風対策航空機は、図１に示すように、中型輸送機（イオン水製造装置とそのイオン水水鉄砲又は電波静電気制御吸収帯ブラストシステムとＧＰＳ航法システム塔載）１、イオン水水鉄砲又は電波静電気制御吸収帯ブラストシステム（従来の液体ホーニング又はサンドブラストシステムでもよい。）２、水鉄砲又は電波静電気制御吸収帯ブラストガン（従来の液体ホーニングガン又はサンドブラストガンでもよい。）３、イオン水または電波静電気制御吸収帯４、ＧＰＳ航法システム５、雨や雷などの台風雲６、地上台風被害市街地７、１００万分の１秒高速度カメラ８、電波時計９、である。
【考案を実施するための形態】
【０００８】
本考案の実施の形態の一例について、図面を参照しながら説明する。
エコロジー処理コンピュータ台風対策航空機は図１に示すように、ＧＰＳ航法システム５、により情報化された雨や雷などの台風雲６、に、イオン水又は電波静電気制御吸収帯４、を打ち込む水鉄砲又は電波静電気制御吸収帯ブラストガン３、を有する水鉄砲又は電波静電気制御吸収帯ブラストシステム２、により台風雲の上層プラスの静電気、下層にマイナスの静電気を有する静電気分布を破壊又は新しい静電気分布を形成させるため、台風雲の生起・移動・消滅の制御とする前述の５，４，３を搭載の中型輸送機１、で電波時計９、と１００万分の１秒高速度カメラ８、で地上台風被害市街地７、の上空の静電気分布と水の状態による雲の情報化を運用する。ゼロックスの帯電板上で静電気によりカーボン微粒子が制御されて文字を形成するように台風雲の形成とその消滅を制御するもので、水滴が静電気によりイオン水から雨滴に変態していく気象制御であります。
【符号の説明】
【０００９】
１  航空機（イオン水製造装置、サンドブラストシステムとＧＰＳ航法システム塔載）
２  イオン水製造装置又はサンドブラストシステム（液体ホーニングシステムでもよい）
３  イオン水水鉄砲又はサンドブラストガン（液体ホーニングガンでもよい。）
４  電波吸収帯
５  ＧＰＳ航法システム
６  雨や雷などの台風雲
７  地上台風被害市街地
８  １００万分の１秒高速度カメラ
９  電波時計      
【手続補正２】
【補正対象書類名】実用新案登録請求の範囲
【補正対象項目名】全文
【補正方法】変更
【補正の内容】
【実用新案登録請求の範囲】
【請求項１】
イオン水を製造する装置とそのイオン水水鉄砲を搭載するエコロジー処理コンピュータ台風対策航空機。
【請求項２】
電波静電気制御吸収帯ショットの電波静電気制御吸収帯、ブラストガンを有する静電気制御吸収帯ブラストシステム塔載する事を特徴とする請求項１記載のエコロジー処理コンピュータ台風対策航空機。
【請求項３】
ＧＰＳ航法システムを具備する事を特徴とする請求項１記載のエコロジー処理コンピュータ台風対策航空機。
【請求項４】
１００万分の１秒高速度カメラを具備する事を特徴とする請求項１記載のエコロジー処理コンピュータ台風対策航空機。
【請求項５】
電波時計を具備する事を特徴とする請求項１記載のエコロジー処理コンピュータ台風対策航空機。
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
水道水をイオン化し、イオン化列の選択により任意のイオン水水溶液を製造する装置とそのイオン水水鉄砲としての液体ホーニング装置を搭載する従来のシュミレーションまでの情報処理のみのコンピュータに、エコロジー処理と称する物理的、化学的、生物学的、地学的仕事を追加したエコロジーである台風対策の航空機エコロジー処理コンピュータ台風対策航空機。
【請求項２】
アルミナで知られている電波静電気制御吸収帯物質を射出するサンドブラストシステムに相当する電波静電気制御吸収帯ブラストシステムを搭載する事を特徴とする請求項１記載のエコロジー処理コンピュータ対策航空機。
【請求項３】
ＧＰＳ航法システムを具備する事を特徴とする請求項１記載のエコロジー処理コンピュータ台風対策航空機。
【請求項４】
１００万分の１秒高速度カメラを具備する事を特徴とする請求項１記載のエコロジー処理コンピュータ台風対策航空機。
【請求項５】
電波時計を具備する事を特徴とする請求項１記載のエコロジー処理コンピュータ台風対策航空機。
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
Ｃ.Ｇ.合成の絵による桜の開花をシュミレーションとして情報化してきた情報処理コンピュータ、その情報を使用して太陽エネルギー制御による生物学的仕事をさせて日本列島に於ける情報化を桜前線と呼びこの環境技術の向上まで含めてエコロジー処理コンピュータと称します。他にもエネルギー一定のエネルギー・フィールドに於ける移相制御の情報化を生物学、化学、物理学、地学的仕事の情報化をエコロジー処理と呼んで水道水のイオン水製造装置とそのイオン水水鉄砲としての液体ホーニングガン装置を搭載した航空機により、イオン水を台風雲に出射して台風雲の形状変化を実験して知るための台風対策の温湿度環境技術の向上まで含んだエコロジー処理コンピュータ台風対策航空機。
【請求項２】
雲の保持する静電気状態を物理学的仕事としてアルミナで知られている電波静電気制御吸収帯物質を射出するサンドブラストシステムを電波静電気制御吸収帯ブラストシステム塔載した航空機によりアルミナを台風雲に出射して台風雲の形状変化を実験して知るための台風対策を特徴とする請求項１記載のエコロジー処理コンピュータ台風対策航空機。
【請求項３】
ＧＰＳ航法システムにより自分の位置を知る航空機が台風雲との位置を整合するためＧＰＳ航法システムを具備する事を特徴とする請求項１記載のエコロジー処理コンピュータ台風対策航空機。
【請求項４】
時間制御の情報化をコンピュータ化するため１００万分の１秒高速度カメラを具備する事を特徴とする請求項１記載のエコロジー処理コンピュータ台風対策航空機。
【請求項５】
ＧＰＳ航法システムとそれにより自分の位置を知るための同時性を創る電波時計を具備する事を特徴とする請求項１記載のエコロジー処理コンピュータ台風対策航空機。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
ＣＧ合成の絵による桜の開花をシミュレーションとして情報化してきた情報処理コンピュータ、その情報を使用して太陽エネルギー制御による温室のように生物学的仕事をさせて日本列島に於ける情報化の桜前線作りのための環境技術の向上をするエコロジー処理コンピュータとして一般化してエネルギー一定のエネルギー・フィールドに於ける移相制御の情報化すなわち生物学、化学、物理学、地学的仕事の情報化をエコロジー処理と呼んで水道水のイオン化製造装置とそのイオン水水鉄砲としての液体ホーニングガン装置を搭載した航空機により、イオン水を台風雲に出射して台風雲の形状変化を実験して知るための台風対策の温湿度環境技術の向上まで含んだエコロジー処理コンピュータ台風対策航空機。
【請求項２】
台風雲の保持する静電気状態を物理学的仕事としてアルミナで知られている電波静電気制御吸収帯物質を射出するサンドブラストシステムを電波静電気制御吸収帯ブラストシステムとして塔載した航空機によりアルミナを台風雲に出射して台風雲の形状変化を実験して知るための台風対策を特徴とする請求項１記載のエコロジー処理コンピュータ台風対策航空機。
【請求項３】
ＧＰＳ航法システムにより自分の位置を知る航空機が台風雲との位置を整合するためＧＰＳ航法システムを具備する事を特徴とする請求項１記載のエコロジー処理コンピュータ台風対策航空機。
【請求項４】
時間制御の情報化をコンピュータ化するため１００万分の１秒高速度カメラを具備する事を特徴とする請求項１記載のエコロジー処理コンピュータ台風対策航空機。
【請求項５】
ＧＰＳ航法システムとそれにより自分の位置を知るための同時性を創る電波時計を具備するコンピュータを具備する事を特徴とする請求項１記載のエコロジー処理コンピュータ台風対策航空機。
【手続補正書】
【提出日】平成21年8月14日(2009.8.14)
【手続補正１】
【補正対象書類名】実用新案登録請求の範囲
【補正対象項目名】請求項１
【補正方法】変更
【補正の内容】
【請求項１】
ＣＧ合成の絵による桜の開花をシュミレーションとして情報化してきた情報処理コンピュータ、その情報を使用して太陽エネルギーの利用による温室のように温度・時間等制御コンピュータによる生物学的仕事をさせて日本列島に於ける情報化の桜前線作りのための環境技術の向上をするエコロジー処理コンピュータとして一般化してエネルギー一定のエネルギー・フィールドに於ける移相制御の情報化すなわち生物学、化学、物理学、地学的仕事の情報化をエコロジー処理と呼んでその制御系の考案として水道水のイオン化製造装置とそのイオン水水鉄砲としての液体ホーニングガン装置を搭載した航空機により、イオン水を台風雲に出射して台風雲の形状変化を実験して知るための台風対策の温湿度環境技術の向上まで含んだエコロジー処理コンピュータ台風対策航空機。
【手続補正２】
【補正対象書類名】実用新案登録請求の範囲
【補正対象項目名】請求項５
【補正方法】変更
【補正の内容】
【請求項５】
ＧＰＳ航法システムとそれにより台風雲に対する航空機の自分の位置を知るためとイオン水水鉄砲発射制御の同時制を創る電波時計を具備するコンピュータを具備する事を特徴とする請求項１記載のエコロジー処理コンピュータ台風対策航空機。
【手続補正書】
【提出日】平成21年10月14日(2009.10.14)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシュミレーションとしてエネルギー一定のエネルギー・フィールドに於ける移相制御の情報化してきた情報処理コンピュータ、その情報を使用する事により環境技術の向上として太陽エネルギーの利用による温室のように大気エネルギーを扉開閉等による温・湿度時間制御を追加してチューリップの開花の動画アナロジー制御により自然花開花の生物学的仕事エコロジーの処理を果しますが、情報処理コンピュータに追加した環境技術の向上のエネルギー制御デバイス（発明・工夫・装置・わな・仕掛け）による生物学、化学、物理学、地学的仕事の情報化をエコロジー処理コンピュータと呼ぶ事にするため、ここに台風雲の形状変化をシュミレーションとしてきた情報処理コンピュータに於ける情報を使用する事により環境技術の向上として航空機に塔載の水道水イオン化製造装置とそのイオン水水鉄砲としての液体ホーニングガン装置によりイオン水を台風雲に出射するエネルギー制御を追加して台風雲形状変化の動画アナロジー制御をする事により台風消滅実験の物理学、化学的仕事エコロジーの処理を果すエコロジー処理コンピュータ台風対策航空機。
【手続補正書】
【提出日】平成21年11月20日(2009.11.20)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシミュレーションとしてきた情報処理コンピュータ。その情報を使用する事により環境技術の向上として太陽エネルギーの利用による温室のように扉開閉等による温・湿度時間制御をするエネルギー制御デバイスを追加してチューリップの開花の動画アナロジー制御により自然花開花の生物学的仕事エコロジーの処理を果しますが、情報処理コンピュータに追加した環境技術向上のエネルギー制御デバイスによる生物学、化学、物理学、地学的仕事の情報化をエコロジー処理コンピュータと呼ぶ事にするため、ここに台風雲の形状変化をシミュレーションとしてきた情報処理コンピュータに於ける情報を使用する事により環境技術の向上として航空機に塔載の水道水イオン化製造装置とイオン水水鉄砲を有する液体ホーニングガン装置によりイオン水を台風雲に出射するエネルギー制御デバイスを追加して台風雲形状変化の動画アナロジー制御をする事により台風雲消滅実験の物理学、化学的仕事エコロジーの処理を果す航空機のエネルギー制御デバイスと共にエコロジー処理コンピュータを構成するエコロジー処理コンピュータ台風対策航空機。
【手続補正書】
【提出日】平成22年1月8日(2010.1.8)
【手続補正１】
【補正対象書類名】実用新案登録請求の範囲
【補正対象項目名】請求項１
【補正方法】変更
【補正の内容】
【請求項１】
水道水のイオン水製造装置とイオン水水鉄砲を有する液体ホーニングガン装置によりイオン水を台風雲に出射するエネルギー制御デバイスとこれらを搭載している航空機も含めたエネルギー制御のコンピュータコントロールによるエコロジーとしての台風雲形状変化をテストするエコロジー処理コンピュータを構成するエコロジー処理コンピュータ台風対策航空機。